【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
ヘッドを備えたインクジェットプリンターにおいて、前記ヘッドに印加される電圧を設定する方法であって、
前記ヘッドによって媒体上にテストパターンを形成する工程と、
前記テストパターンの膜厚を測定する工程と、
前記測定した膜厚に基づいて、前記ヘッドから吐出されるインクの重量が、予め定められた目標インク重量になるように前記ヘッドに印加される電圧を設定する工程と、
を備える、印加電圧設定方法。
【請求項２】
請求項１に記載の印加電圧設定方法であって、
前記テストパターンを形成する工程において、同一領域内に複数回印刷することにより、前記テストパターンを形成する、印加電圧設定方法。
【請求項３】
請求項１に記載の印加電圧設定方法であって、
前記インクジェットプリンターは、
前記ヘッドおよび前記媒体の少なくともいずれか一方を搬送する搬送機構を備え、
前記テストパターンを形成する工程において、前記ヘッドが吐出する前記インクの種類に応じた搬送速度で前記テストパターンを形成する、印加電圧設定方法。
【請求項４】
請求項１から請求項３までのいずれか一項に記載の印加電圧設定方法であって、
前記インクジェットプリンターは、
前記ヘッドから前記媒体に吐出された前記インクを硬化させるインク硬化部を備え、
前記テストパターンを形成する工程において、前記ヘッドが吐出する前記インクの種類に応じた前記インク硬化部の強度で前記インクを硬化させる、印加電圧設定方法。
【請求項５】
請求項１から請求項４までのいずれか一項に記載の印加電圧設定方法であって、
前記インクジェットプリンターは、
第１の色のインクを吐出する前記ヘッドを複数備える第１のヘッドユニットと、第２の色のインクを吐出する前記ヘッドを複数備える第２のヘッドユニットと、を少なくとも備え、
前記目標インク重量は、前記ヘッドユニット毎に定められる、印加電圧設定方法。
【請求項６】
請求項１から請求項５までのいずれか一項に記載の印加電圧設定方法であって、
前記膜厚を測定する工程において、前記媒体の前記テストパターンが形成された面と反対側から前記膜厚を測定する、印加電圧設定方法。
【請求項７】
請求項１から請求項６までのいずれか一項に記載の印加電圧設定方法をインクジェットプリンターに実現させるプログラム。
【請求項８】
インクジェットプリンターであって、
インクを吐出するヘッドと、
テストパターンを表すテストパターンデータと、前記ヘッドから吐出されるインクの目標インク重量に対応する前記テストパターンの膜厚である基準膜厚と、が記憶される記憶部と、
前記ヘッドを制御して、前記テストパターンデータに基づいて、媒体上に前記テストパターンを形成させるテストパターン形成部と、
前記テストパターンの膜厚を測定する膜厚測定部と、
前記テストパターンを形成する際に前記ヘッドに印加された電圧と前記膜厚測定部において測定された前記テストパターンの膜厚とに基づいて電圧と膜厚との関係を表す電圧−膜厚テーブルを作成する電圧−膜厚テーブル生成部と、
前記電圧−膜厚テーブルと前記基準膜厚とに基づいて、前記ヘッドから吐出されるインクの重量が、前記目標インク重量になるように前記ヘッドに印加する電圧を設定する印加電圧設定部と、
を備える、インクジェットプリンター。
【手続補正２】
【補正対象書類名】明細書
【補正対象項目名】０００７
【補正方法】変更
【補正の内容】
【０００７】
（１）本発明の一形態によれば、ヘッドを備えたインクジェットプリンターにおいて、前記ヘッドに印加する電圧を設定する方法が提供される。この印加電圧設定方法は、前記ヘッドから吐出されるインクによって媒体上にテストパターンを形成する工程と、前記テストパターンの膜厚を測定する工程と、前記測定した膜厚に基づいて、前記ヘッドから吐出されるインクの重量が、予め定められた目標インク重量になるように前記ヘッドに印加する電圧を設定する工程と、を備える。
【手続補正３】
【補正対象書類名】明細書
【補正対象項目名】００１０
【補正方法】変更
【補正の内容】
【００１０】
（３）上記形態の印加電圧設定方法において、前記インクジェットプリンターは、前記ヘッドおよび前記媒体の少なくともいずれか一方を搬送する搬送機構を備え、前記テストパターンを形成する工程において、前記ヘッドが吐出するインクの種類に応じた搬送速度で前記テストパターンを形成してもよい。インクジェットプリンターのヘッドから吐出されるインクの重量が同じでも、搬送速度によって膜厚が異なる。そのため、インクの硬化しやすさ、凝固しやすさ等に応じて、搬送速度を変えることにより、テストパターンの表面の凸凹を抑制しつつ、膜厚測定に適した膜厚のテストパターンを作成することができる。
【手続補正４】
【補正対象書類名】明細書
【補正対象項目名】００１１
【補正方法】変更
【補正の内容】
【００１１】
（４）上記形態の印加電圧設定方法において、前記インクジェットプリンターは、前記ヘッドから前記媒体に吐出された前記インクを硬化させるインク硬化部を備え、前記テストパターンを形成する工程において、前記ヘッドが吐出する前記インクの種類に応じた前記インク硬化部の強度で前記インクを硬化させてもよい。インクの種類（硬化しやすさ、凝固しやすさ等）に適した強度でインクを硬化させることにより、テストパターンの表面の凸凹を抑制することができる。
【手続補正５】
【補正対象書類名】明細書
【補正対象項目名】００１４
【補正方法】変更
【補正の内容】
【００１４】
（８）本発明の他の形態によれば、インクジェットプリンターが提供される。このインクジェットプリンターは、インクジェットプリンターであって、インクを吐出するヘッドと、テストパターンを表すテストパターンデータと、前記ヘッドから吐出されるインクの目標インク重量に対応する前記テストパターンの膜厚である基準膜厚と、が記憶される記憶部と、前記ヘッドを制御して、前記テストパターンデータに基づいて、媒体上に前記テストパターンを形成させるテストパターン形成部と、前記テストパターンの膜厚を測定する膜厚測定部と、前記テストパターンを形成する際に前記ヘッドに印加された電圧と前記膜厚測定部において測定された前記テストパターンの膜厚とに基づいて電圧と膜厚との関係を表す電圧−膜厚テーブルを作成する電圧−膜厚テーブル生成部と、前記電圧−膜厚テーブルと前記基準膜厚とに基づいて、前記ヘッドから吐出されるインクの重量が、前記目標インク重量になるように前記ヘッドに印加する電圧を設定する印加電圧設定部と、を備える。このインクジェットプリンターによれば、インクジェットプリンターにおいて、自動的に印加電圧の設定を行うことができる。
【手続補正６】
【補正対象書類名】明細書
【補正対象項目名】００３１
【補正方法】変更
【補正の内容】
【００３１】
操作パネル８０は、メニューや画像を表示するためのＬＣＤ等で構成される表示パネル、メニューを操作するための十字ボタン、印刷指示ボタン等（図示しない）を備える。外部Ｉ／Ｆ部７０は、デジタルカメラ、コンピュータ、ＵＳＢ機器等の外部機器と通信するためのＩ／Ｆである。画像処理部６０は、外部Ｉ／Ｆ部７０を介して取得された画像データに基づいて、印刷に適した印刷画像データを生成するための、画像処理専用のプロセッサである。
【手続補正７】
【補正対象書類名】明細書
【補正対象項目名】００４１
【補正方法】変更
【補正の内容】
【００４１】
電圧−膜厚テーブル生成部１２６は、ステップＳ１０４，Ｓ１０８において記憶された膜厚に基づいて、印加電圧と膜厚との関係を示す電圧−膜厚テーブル１４４を生成し、メモリ１４０に記憶させる（ステップＳ１１０）。電圧−膜厚テーブル１４４は電圧と膜厚の関係式として記憶される。ここで、膜厚として、１つのパッチに対して測定された６点の膜厚測定値の平均値から印刷基材１１の膜厚（予め測定され、メモリ１４０に記憶されている）を減じた値を、用いる。図８は、第１白インクヘッドにおける電圧−膜厚テーブルを示すグラフである。第１白インクヘッド３２１Ｗに第１テスト電圧Ｖ１ｗ１を印加した際の第１白パッチの膜厚はｔ１ｗ１，第１白インクヘッド３２１に第２テスト電圧Ｖ２ｗ２を印加した際の第１白パッチの膜厚はｔ２ｗ１である。印加電圧の増加に伴い膜厚が線形に増加することは周知であるため、印加電圧と膜厚との関係は線形近似できる（図８）。同様に、各インクヘッドにおける電圧−膜厚テーブル１４４を、それぞれ、生成する。
【手続補正８】
【補正対象書類名】明細書
【補正対象項目名】００４９
【補正方法】変更
【補正の内容】
【００４９】
Ｄ．第４実施形態：
図１１は、第４実施形態のテストパターンの形成方法を説明するための説明図である。第４実施形態では、インクの色毎に印刷基材１１の搬送速度を変えて、テストパターンを形成する。図１１では、第１シアンインクヘッド３２１Ｃ，第１マゼンタインクヘッド３２１Ｍ，第１黄インクヘッド３２１Ｙ，第１黒インクヘッド３２１Ｋを例示しており、その他のインクヘッドおよびＵＶランプは図示を省略している。また、図１１では、各インクヘッド３２０と、各パッチとの対応関係を明瞭に示すために、対応するインクヘッドとパッチとに同一のハッチングを付して示している。本実施形態において、印刷基材１１の搬送速度は、第１搬送速度Ｓ１，第２搬送速度Ｓ２，第３搬送速度Ｓ３（Ｓ１＜Ｓ２＜Ｓ３）の間で切り替え可能である。
【手続補正９】
【補正対象書類名】明細書
【補正対象項目名】００６３
【補正方法】変更
【補正の内容】
【００６３】
１１…印刷基材
１０…制御部
１３…搬送ローラー
２０…基材繰出部
２１…基材ローラー
３０…印刷部
３１…回転ドラム
３２…インクヘッドユニット
３２Ｃ…シアンインクヘッドユニット
３２Ｋ…黒インクヘッドユニット
３２Ｍ…マゼンタインクヘッドユニット
３２Ｖ…透明インクヘッドユニット
３２Ｗ…白インクヘッドユニット
３２Ｙ…黄インクヘッドユニット
４０…膜厚測定部
４１…膜厚計
４２…素地
５０…基材巻取部
５１…巻取ローラー
１００…インクジェットプリンター
３２０…インクヘッド
３２０Ｃ…シアンインクヘッド
３２０Ｋ…黒インクヘッド
３２０Ｍ…マゼンタインクヘッド
３２０Ｖ…透明インクヘッド
３２０Ｗ…白インクヘッド
３２０Ｙ…黄インクヘッド
３３１…第１本硬化ランプ
３３２…第１ピニングランプ
３３３…第２ピニングランプ
３３４…第３ピニングランプ
３３５…第２本硬化ランプ
３３６…第３本硬化ランプ
Ｃ…シアンパッチ
Ｍ…マゼンタパッチ
Ｙ…黄パッチ
Ｖ０…基準電圧
ｔ０…基準膜厚
Ｖ１…第１テスト電圧
Ｖ２…第２テスト電圧
ＴＰ…第１テストパターン
Ｖｈ…補正印加電圧
Ｎｚ…ノズル